(57)【要約】【課題】人工股関節置換術の仰臥位手術におけるカップ設置について、患者への負担を低減しつつ、正確性及び再現性の高い人工股関節置換術用器具を提供する。【解決手段】人工股関節置換術の仰臥位手術に用いる人工股関節置換術用器具であって、人工股関節を構成するカップ２０を保持するカップ保持部材１３と、カップ保持部材１３を一端部に固定し、カップ２０の保持角度を調整する角度調整部材１２と、角度調整部材１２の一部と接続され、他端部に術者が把持する第１把持部１１ａを有する連結部材１１と、連結部材１１の一部と接続され、術者が把持する第２把持部１０ａを有し、少なくとも一部に直線部１０ｂを有する基準部材１０とを備え、カップ保持部材１３は、基準部材１０の直線部１０ｂの軸Ａ１と患者の体軸Ａ２とを平行となるように配置した際に、半球殻状のカップ２０の中心軸Ａ３と体軸Ａ２とによりなす角である外開き角θ１及び前開き角θ２をそれぞれ設定角度に保持する、人工股関節置換術用器具。【選択図】図１
2020054814.tif 000002
【特許請求の範囲】
【請求項１】
人工股関節置換術の仰臥位手術に用いる人工股関節置換術用器具であって、
人工股関節を構成するカップを保持するカップ保持部材と、
前記カップ保持部材を一端部に固定し、前記カップの保持角度を調整する角度調整部材と、
前記角度調整部材の一部と接続され、他端部に術者が把持する第１把持部を有する連結部材と、
前記連結部材の一部と接続され、術者が把持する第２把持部を有し、少なくとも一部に直線部を有する基準部材とを備え、
前記カップ保持部材は、前記基準部材の前記直線部の軸と患者の体軸とを平行となるように配置した際に、半球殻状の前記カップの中心軸と前記体軸とによりなす角である外開き角θ１及び前開き角θ２をそれぞれ設定角度に保持する、人工股関節置換術用器具。
【請求項２】
前記外開き角θ１の設定角度は、３０°〜５５°である、請求項１に記載の人工股関節置換術用器具。
【請求項３】
前記前開き角θ２の設定角度は、５°〜４０°である、請求項１又は２に記載の人工股関節置換術用器具。
【請求項４】
前記角度調整部材は、オフセット部を有する、請求項１〜３のいずれか１項に記載の人工股関節置換術用器具。
【請求項５】
前記カップ保持部材は、前記角度調整部材の端部との着脱機構を有する、請求項１〜４のいずれか１項に記載の人工股関節置換術用器具。
【請求項６】
寛骨の一部である上前腸骨棘に配置する第１配置部材と、
前記第１配置部材と接続され、寛骨の一部である恥骨に配置する第２配置部材と、
前記第１配置部材に設けられ、前記角度調整部材の軸をガイドするガイド部材とを有する補助器具をさらに備える、請求項１〜５のいずれか１項に記載の人工股関節置換術用器具。
【発明の詳細な説明】
【技術分野】
【０００１】
本発明は、人工股関節置換術に用いる人工股関節置換術用器具に関し、特に、仰臥位手術による人工股関節置換術に用いる人工股関節置換術用器具に関する。
【背景技術】
【０００２】
股関節に異常が認められた患者に対して、股関節を人工股関節に置換する手術が行われている。一般的に、人工股関節は、カップ（人工臼蓋）と、ライナー（人工関節軟骨）と、ヘッド（人工大腿骨頭）と、ステム（人工大腿骨）とを備える。
人工股関節置換術（ＴＨＡ）の様式として、セメント不使用のセメントレスカップを寛骨臼に固定するプレスフィット法（Press-fit法：Ｐ法）及びライントゥライン法（Line to line法：Ｌ法）等が採用されている。
【０００３】
Ｐ法は、寛骨臼と接する表面に凹凸形状が設けられていて摩擦係数が高く、寛骨臼より若干径の大きいカップを採用し、専用の手術器具を用いて強大な力でカップを寛骨臼に打ち込むことで固定する様式である（例えば、特許文献１参照）。Ｐ法においては、強大な力でカップを寛骨臼に打ち込んで固定するので、カップの初期固定力が優れるという利点を有するが、強大な力で打ち込む故に寛骨臼骨折及びカップ設置不良を惹起する等の問題がある。
【０００４】
Ｌ法は、複数の固定穴を有するカップを採用し、ネジ等の固定部材及び固定穴を利用して寛骨臼に固定する様式である。Ｌ法において、カップの初期固定力は、固定に用いる固定部材に依存することになるが、固定時のカップの設置角度を自在にコントロールできる利点を有する。また、Ｌ法は、Ｐ法とは異なり、カップを打ち込んで固定することがないため、寛骨臼骨折及びカップ設置不良が生じにくい安全な様式といえる。
現状ではＰ法が主流であるが、寛骨臼骨折及びカップ設置不良を惹起することが報告されていることから、今後は、Ｌ法が主流になると考えられる。
【０００５】
Ｌ法においては、人工股関節を固定するために骨に穴を開けるリーミング動作が必要となる。このリーミング動作の位置、方向及び掘削量等を決定し、決定した内容を術中に正確に再現して手術操作の管理が実施可能な人工股関節置換術支援システムが提案されている（例えば、特許文献２参照）。
【先行技術文献】
【特許文献】
【０００６】
【特許文献１】特許第５３２４２７７号公報
【特許文献２】特許第５４１２３３４号公報
【発明の概要】
【発明が解決しようとする課題】
【０００７】
しかしながら、特許文献２で提案されている人工股関節置換術支援システムは、大掛かりなものであり、人工股関節置換術に費やす時間が増えることで患者への負担が増えることが懸念されている。そこで、人工股関節置換術において、患者への負担を低減しつつ、正確性及び再現性の高い人工股関節置換術用器具が要望されている。
【０００８】
また、Ｌ法の様式としては、側臥位手術及び仰臥位手術があり、それぞれの様式に応じた手術用器具を用いることを要する。従来は、Ｌ法の様式として側臥位手術で行うことが主流であったが、側臥位手術より小侵襲で筋腱を温存することができ、かつ、人工股関節に置換した後の脱臼率も低いという知見により、仰臥位手術による手術件数が近年増加してきている。従来主流である側臥位手術におけるカップ設置に用いる補助器具としての人工股関節置換術用器具は存在するが、仰臥位手術におけるカップ設置に用いる補助器具としての主だった人工股関節置換術用器具は存在しない。
【０００９】
本発明は、上記問題に鑑み、人工股関節置換術の仰臥位手術におけるカップ設置について、患者への負担を低減しつつ、正確性及び再現性の高い人工股関節置換術用器具を提供することを目的とする。
【課題を解決するための手段】
【００１０】
すなわち、本発明は、以下の［１］〜［６］を提供する。
［１］人工股関節置換術の仰臥位手術に用いる人工股関節置換術用器具であって、人工股関節を構成するカップを保持するカップ保持部材と、前記カップ保持部材を一端部に固定し、前記カップの保持角度を調整する角度調整部材と、前記角度調整部材の一部と接続され、他端部に術者が把持する第１把持部を有する連結部材と、前記連結部材の一部と接続され、術者が把持する第２把持部を有し、少なくとも一部に直線部を有する基準部材とを備え、前記カップ保持部材は、前記基準部材の前記直線部の軸と患者の体軸とを平行となるように配置した際に、半球殻状の前記カップの中心軸と前記体軸とによりなす角である外開き角θ１及び前開き角θ２をそれぞれ設定角度に保持する、人工股関節置換術用器具。
［２］前記外開き角θ１の設定角度は、３０°〜５５°である、［１］の人工股関節置換術用器具。
［３］前記前開き角θ２の設定角度は、５°〜４０°である、［１］又は［２］の人工股関節置換術用器具。
［４］前記角度調整部材は、オフセット部を有する、［１］〜［３］のいずれかの人工股関節置換術用器具。
［５］前記カップ保持部材は、前記角度調整部材の端部との着脱機構を有する、［１］〜［４］のいずれかの人工股関節置換術用器具。
［６］寛骨の一部である上前腸骨棘に配置する第１配置部材と、前記第１配置部材と接続され、寛骨の一部である恥骨に配置する第２配置部材と、前記第１配置部材に設けられ、前記角度調整部材の軸をガイドするガイド部材とを有する補助器具をさらに備える、［１］〜［５］のいずれかの人工股関節置換術用器具。
【発明の効果】
【００１１】
本発明によれば、人工股関節置換術の仰臥位手術におけるカップ設置について、患者への負担を低減しつつ、正確性及び再現性の高い人工股関節置換術用器具を提供することができる。
【図面の簡単な説明】
【００１２】
【図１】本発明の第１の実施の形態に係る人工股関節置換術用器具の模式図であり、図１（ａ）は、仰臥位手術の正面図であり、図１（ｂ）は、図１（ａ）のＡ方向から見た仰臥位手術の側面図である。
【図２】人工股関節置換術で用いる人工股関節を示す模式図である。
【図３】図３（ａ）は、本発明の第１の実施の形態に係る人工股関節置換術用器具のカップ保持部材の模式図であり、図３（ｂ）は、図３（ａ）のＡ−Ａ方向から見た模式図であり、図３（ｃ）は、図３（ｂ）のＢ−Ｂ方向から見た模式図である。
【図４】本発明の第１の実施の形態に係る人工股関節置換術用器具のカップ保持部材のカップの保持状態を示す模式的断面図である。
【図５】本発明の第１の実施の形態に係る人工股関節置換術用器具とカップとを一体化させた状態の模式図である。
【図６】本発明の第２の実施の形態に係る人工股関節置換術用器具の模式図である。
【図７】図７（ａ）は、本発明の第２の実施の形態に係る人工股関節置換術用器具の補助器具の模式図であり、図７（ｂ）は、図７（ａ）のＡ方向から見た模式図であり、図７（ｃ）は、図７（ａ）のＢ方向から見た模式図である。
【図８】本発明の第２の実施の形態に係る人工股関節置換術用器具の模式図であり、図８（ａ）は、仰臥位手術の正面図であり、図８（ｂ）は、図８（ａ）のＡ方向から見た仰臥位手術の側面図である。
【図９】本発明の第１の実施の形態に係る人工股関節置換術用器具の別の態様の模式図であり、図９（ａ）は、仰臥位手術の正面図であり、図９（ｂ）は、図９（ａ）のＡ方向から見た仰臥位手術の側面図である。
【図１０】図１０（ａ）は、本発明の第１の実施の形態に係る人工股関節置換術用器具のカップ保持部材の別の態様の模式図であり、図１０（ｂ）は、図１０（ａ）のＡ−Ａ方向から見た模式図である。
【発明を実施するための形態】
【００１３】
（第１の実施の形態）
本発明の第１の実施の形態に係る人工股関節置換術用器具は、人工股関節置換術に用いる人工股関節置換術用器具であって、特に、人工股関節置換術の仰臥位手術に用いる人工股関節置換術用器具である。
本発明の第１の実施の形態に係る人工股関節置換術用器具１は、図１に示すように、人工股関節を構成するカップ２０を保持するカップ保持部材１３と、カップ保持部材１３を一端部に固定し、カップ２０の保持角度を調整する角度調整部材１２と、角度調整部材１２の一部と接続され、他端部に術者が把持する第１把持部１１ａを有する連結部材１１と、連結部材１１の一部と接続され、術者が把持する第２把持部１０ａを有し、少なくとも一部に直線部１０ｂを有する基準部材１０とを備える。
カップ保持部材１３は、基準部材１０の直線部１０ｂの軸Ａ１と患者の体軸Ａ２とを平行となるように配置した際に、半球殻状のカップ２０の中心軸Ａ３と体軸Ａ２とによりなす角である外開き角θ１及び前開き角θ２をそれぞれ設定角度に保持することを特徴とする。
術者は、一方の手で第１把持部１１ａを把持し、他方の手で第２把持部１０ａを把持することで、人工股関節置換術用器具１を術者一人で制御することができる。
【００１４】
人工股関節置換術で用いる人工股関節２は、図２に示すように、カップ（人工臼蓋）２０と、ライナー（人工関節軟骨）２１と、ヘッド（人工大腿骨頭）２２と、ステム（人工大腿骨）２３とを備える。
カップ２０は、半球殻状の形状を有し、寛骨１００の一部である寛骨臼１０１に外表面が接するように固定される。カップ２０は、Ｌ法による様式に適応可能であることから、複数の固定穴２０ａを有し、ネジ等の固定部材（図示せず）及び固定穴２０ａを利用して寛骨臼１０１に固定される。カップ２０の材質としては、チタン合金及びコバルトクロム合金等の金属が挙げられる。なお、本発明に係る人工股関節置換術用器具は、上述のように、Ｌ法に好適に用いられ、カップの固定方法においては、Ｐ法のように、強大な力でカップを打ち込む必要がなく、寛骨臼骨折の懸念がないという利点を有する。
ライナー２１は、半球殻状の形状を有し、カップ２０の内表面に外表面が接するように固定される。ライナー２１は、カップ２０に配置固定されることで、関節面の役割を果たす。ライナー２１の材質としては、ポリエチレン、金属及びセラミック等が挙げられる。
ヘッド２２は、ライナー２１の内表面に対して、外表面が摺動するように配置される。ヘッド２２の材質としては、金属及びセラミック等が挙げられる。
ステム２３は、大腿骨１１０の髄腔内に挿入される形態を有する部材であり、一端部にヘッド２２が配置される。ステム２３の材質としては、チタン合金及びコバルトクロム合金等の金属が挙げられる。
【００１５】
カップ保持部材１３は、図３及び図４に示すように、ネジ等の固定部材１３ａによって、カップ２０を固定して保持する。カップ保持部材１３がカップ２０を保持することで、図５に示すように、人工股関節置換術用器具１とカップ２０とを一体化させることができる。
なお、固定部材１３ａは、カップ２０を一時的に保持することができればよいが、表面形状が円形である場合には、カップが回転して保持が困難な場合がある。そこで、表面形状を四角形などの多角形状とし、さらにはカップ側に対応するほぞ穴を設けて固定することも好ましい態様である。
【００１６】
カップ保持部材１３は、図４に示すように、角度調整部材１２の端部１２ｃとの着脱機構１３ｂを有することが好ましい。着脱機構１３ｂとしては、端部１２ｃと嵌合可能な形状を備える機構であればよく、凹凸嵌合機構及びネジ嵌合機構等が挙げられる。
カップ保持部材１３は、着脱可能であることにより、カップ２０の形状に応じて選択取り付け可能となる。カップ保持部材１３が選択取り付け可能であることによって、内表面の直径及び曲率半径等において様々なサイズのカップ２０に適応するカップ保持部材１３を選択して使用することが可能となる。カップ保持部材１３が様々なサイズのカップ２０に適応可能であることにより、人工股関節置換術用器具１における汎用性が向上する。
【００１７】
角度調整部材１２は、連結部材１１との接続する接続部１２ｂを調整することで、人工股関節置換術用器具１におけるカップ２０の保持角度を調整することができる。角度調整部材１２は、人工股関節置換術用器具１におけるカップ２０の保持角度を調整することで、ひいては患者に対してカップ２０を固定する際のカップ設置角である外開き角θ１及び前開き角θ２をそれぞれ調整することができる。
角度調整部材１２は、図１（ａ）に示すように、仰臥位手術の患者を上方から見た場合において、基準部材１０の直線部１０ｂの軸Ａ１と患者の体軸Ａ２とを平行となるように配置した際に、半球殻状のカップ２０の中心軸Ａ３と体軸Ａ２とによりなす角である外開き角θ１を調整することができる。また、角度調整部材１２は、図１（ｂ）に示すように、仰臥位手術の患者を側方から見た場合において、基準部材１０の直線部１０ｂの軸Ａ１と患者の体軸Ａ２とを平行となるように配置した際に、半球殻状のカップ２０の中心軸Ａ３と体軸Ａ２とによりなす角である前開き角θ２を調整することができる。
【００１８】
外開き角θ１の設定角度は、３０°〜５５°であることが好ましく、３５°〜５０°であることがより好ましく、４０°〜４５°であることがさらに好ましい。
外開き角θ１の設定角度が上記範囲であることによって、インプラントのインピンジメントを低減して脱臼率を低下させることができ、かつ、大腿骨の可動域を広範囲とすることができる。
【００１９】
前開き角θ２の設定角度は、５°〜４０°であることが好ましく、１０°〜３０°であることがより好ましく、１５°〜２７°であることがさらに好ましい。
前開き角θ２の設定角度が上記範囲であることによって、インプラントのインピンジメントを低減して脱臼率を低下させることができ、かつ、大腿骨の可動域を広範囲とすることができる。
【００２０】
角度調整部材１２は、図９及び図１０に示すように、屈曲部１４を有していてもよく、屈曲部の角度αは９０〜１８０°の範囲であってよい。屈曲部の角度がこの範囲であると、外開き角θ１の設定角度及び前開き角θ２の設定角度を所望の角度に合わせやすい。人工股関節の取り付け角度は、年齢やけがなどに起因する骨盤の傾きによって異なるため、上述の角度範囲で適宜調整することが好ましい。汎用性の点からは、屈曲部の角度αは、１１０〜１５０°であることが好ましく、１２０〜１４０°であることがさらに好ましい。
また、屈曲部からカップ保持部材までの長さは、カップを寛骨臼に固定する際のリーミング動作などの操作性の点から、一定の長さが必要であり、また、患者の体格に応じて、適切な長さがある。一般には、体格が大きいほど、長い方が有利である。以上の観点から、屈曲部からカップ保持部材までの長さは、１０〜３０ｃｍの範囲とすることが好ましく、１５〜２５ｃｍがさらに好ましい。
なお、本実施態様においては、第一把持部１１ａから屈曲部までの間の軸Ａ７は、カップの中心軸Ａ３と平行であることが好ましい。
また、角度調整部材１２は、オフセット部１２ａを有していてもよい。オフセット部１２ａは、人工股関節置換術の仰臥位手術において、人工股関節置換術用器具１を基準部材１０の直線部１０ｂの軸Ａ１と患者の体軸Ａ２とを平行となるように配置した際に、筋腱との接触を回避しつつ、人工股関節置換術用器具１におけるカップ２０の保持角度の調整を可能とする機能を有する。角度調整部材１２がオフセット部１２ａを有することによって、人工股関節置換術の仰臥位手術を行った際に、筋腱の損傷を防ぐことができる。
オフセット部１２ａの長さは、筋腱と干渉せずに人工股関節置換術の仰臥位手術を可能とする観点から、１〜１５ｃｍであることが好ましく、３〜１２ｃｍであることがより好ましく、５〜１０ｃｍであることがさらに好ましい。
【００２１】
連結部材１１は、角度調整部材１２と基準部材１０とを連結する部材である。連結部材１１は、端部に術者が把持する第１把持部１１ａを有するので、術者が把持しやすい高さとなるような全長であることが好ましい。
【００２２】
基準部材１０は、少なくとも一部に直線部１０ｂを有することを要し、第１把持部１１ａを除く全体が直線部１０ｂであることが好ましい。第１把持部１１ａを除く全体が直線部１０ｂであることによって、直線部１０ｂの軸Ａ１と患者の体軸Ａ２とを平行となるように配置する際に、位置決定が容易になる。
【００２３】
基準部材１０は、連結部材１１の一部と接続され、術者が把持する第２把持部１０ａを有する。一方の手で第１把持部１１ａを把持し、他方の手で第２把持部１０ａを把持して人工股関節置換術用器具１を術者一人で制御することを容易とするために、基準部材１０の長さは、術者の肩幅程度であることが好ましい。具体的な基準部材１０の長さとしては、２０〜５０ｃｍであることが好ましく、２５〜４５ｃｍであることがより好ましく、３０〜４０ｃｍであることがさらに好ましい。
【００２４】
本発明の第１の実施の形態に係る人工股関節置換術用器具によれば、基準部材１０の直線部１０ｂの軸Ａ１と患者の体軸Ａ２とを平行となるように配置した際に、半球殻状のカップ２０の中心軸Ａ３と体軸Ａ２とによりなす角である外開き角θ１及び前開き角θ２をそれぞれ設定角度に保持することができるので、大掛かりな器具及びシステムとすることがないために、人工股関節置換術に費やす時間を短縮することができ、患者への負担を低減することができる。
また、本発明の第１の実施の形態に係る人工股関節置換術用器具によれば、患者に対してカップ２０を固定する際のカップ設置角である外開き角θ１及び前開き角θ２をそれぞれ調整して固定することができるので、正確性及び再現性を高めることができる。
さらに、実際の手術においては、Ｘ線写真によって患者の股関節の画像を確認しながら、あるいはＸ線を照射して得られる透視像をその場で確認しながら、手術が行われる場合があるが、本発明の第１の実施の形態に係る人工股関節置換術用器具によれば、Ｘ線画像による確認の必要性がなく、患者及び術者の被爆を防止することができる。
【００２５】
（第２の実施の形態）
本発明の第２の実施の形態に係る人工股関節置換術用器具は、図６に示すように、第１配置部材３０と、第２配置部材３２と、ガイド部材３３とを有する補助器具をさらに備える。
本発明の第２の実施の形態に係る人工股関節置換術用器具は、補助器具をさらに備えること以外は、本発明の第１の実施の形態と同様であるので重複した記載は省略する。
【００２６】
第１配置部材３０は、寛骨１００の一部である上前腸骨棘１０２に配置する部材である。第１配置部材３０は、図６及び図７に示すように、寛骨１００の一部である上前腸骨棘１０２に設置する第１設置部３０ａ，３０ｂを有する。第１設置部３０ａ，３０ｂは、図８に示すように、左右それぞれの上前腸骨棘１０２に対称となるように設置することで、第１配置部材３０の軸Ａ５を患者の体軸Ａ２と垂直になるように位置決めすることができる。第１設置部３０ａ，３０ｂは、幅を調整することが可能な幅調整機構３１ａ，３１ｂをそれぞれ備える。幅調整機構３１ａ，３１ｂは、第１設置部３０ａ，３０ｂの幅を調整することで、第１設置部３０ａ，３０ｂを左右の上前腸骨棘１０２に対称となるように設置する。
【００２７】
第２の実施の形態に係る人工股関節置換術用器具は、図８（ａ）に示すように、基準部材１０の直線部１０ｂの軸Ａ１と第１配置部材３０の軸Ａ５とを垂直になるように配置することで、基準部材１０の直線部１０ｂの軸Ａ１と患者の体軸Ａ２とを平行となるように容易に、かつ、正確性及び再現性が高く配置することができる。
【００２８】
第２配置部材３２は、第１配置部材３０と接続され、寛骨１００の一部である恥骨１０３に配置する部材である。第２配置部材３２は、図６及び図７に示すように、寛骨１００の一部である恥骨１０３に設置する第２設置部３５を有する。第２設置部３５は、第２配置部材３２における高さ位置及び前後位置を調整するための第２設置部調整機構３４を備える。第２設置部調整機構３４は、図８に示すように、第２配置部材３２における第２設置部３５の高さ位置及び前後位置を調整することで、恥骨１０３に第２設置部３５を設置しつつ、第２配置部材３２の軸Ａ６を患者の体軸Ａ２と平行になるように位置決めすることができる。
【００２９】
第２の実施の形態に係る人工股関節置換術用器具は、図８（ｂ）に示すように、第２配置部材３２における第２設置部３５の高さ位置及び前後位置を調整することで、基準部材１０の直線部１０ｂの軸Ａ１と第２配置部材３２の軸Ａ６とを平行となるように配置することで、基準部材１０の直線部１０ｂの軸Ａ１と患者の体軸Ａ２とを平行となるように容易に、かつ、正確性及び再現性が高く配置することができる。
【００３０】
ガイド部材３３は、第１配置部材３０に設けられ、角度調整部材１２の軸をガイドする部材である。ガイド部材３３は、図６及び図７に示すように、一端部に第１配置部材３０と固定するための固定部材３３ａを有する。固定部材３３ａは、第１配置部材３０におけるガイド部材３３の位置を調整するための固定部材調整機構３３ｂを備える。固定部材調整機構３３ｂは、図８に示すように、第１配置部材３０におけるガイド部材３３の位置を調整することで、手術部位の視野を確保しつつ、角度調整部材１２の軸Ａ３をガイドするために、角度調整部材１２の軸Ａ３と平行となるガイド部材３３の軸Ａ４を示すことができる。
【００３１】
第２の実施の形態に係る人工股関節置換術用器具は、図８（ａ）に示すように、角度調整部材１２の軸Ａ３と平行となるガイド部材３３の軸Ａ４とを平行になるように配置することで、基準部材１０の直線部１０ｂの軸Ａ１と患者の体軸Ａ２とを平行となるように容易に、かつ、正確性及び再現性が高く配置することができる。
【００３２】
このように補助器具をさらに備える構成とする本発明の第２の実施の形態に係る人工股関節置換術用器具でも、第１の実施の形態に係る人工股関節置換術用器具と同様の効果を得ることができる。
また、本発明の第２の実施の形態に係る人工股関節置換術用器具によれば、補助器具をさらに備えることで、基準部材１０の直線部１０ｂの軸Ａ１と患者の体軸Ａ２とを平行となるように容易に、かつ、正確性及び再現性が高く配置することができる。
【００３３】
（その他の実施の形態）
上記のように、本発明は実施の形態によって記載したが、この開示の一部をなす記述及び図面はこの発明を限定するものであると理解するべきではない。この開示から当業者には様々な代替実施の形態及び運用技術が明らかになるはずである。
例えば、第１及び第２の実施の形態においては、左足股関節の仰臥位手術に用いる人工股関節置換術用器具を示したが、形状を患者の体軸と対称とすることで、右足股関節の仰臥位手術に用いる人工股関節置換術用器具とすることができる。
なお、接続部１２ｂに左足股関節用と右足股関節用の取り付け孔を準備しておき、角度調整部材１２をそれぞれの取り付け孔に付け替えることで、左右の股関節のいずれにも適用できる態様とすることもできる。
このように、本発明はここでは記載していない様々な実施の形態等を包含するということを理解すべきである。したがって、本発明はこの開示から妥当な特許請求の範囲の発明特定事項によってのみ限定されるものである。
【符号の説明】
【００３４】
１…人工股関節置換術用器具
１０…基準部材
１０ａ…第２把持部
１０ｂ…直線部
１１…連結部材
１１ａ…第１把持部
１２…角度調整部材
１２ａ…オフセット部
１２ｂ…接続部
１２ｃ…端部
１３…カップ保持部材
１３ａ…固定部材
１３ｂ…着脱機構
１４…屈曲部
２…人工股関節
２０…カップ
２０ａ…固定穴
２１…ライナー
２２…ヘッド
２３…ステム
３０…第１配置部材
３０ａ，３０ｂ…第１設置部
３１ａ，３１ｂ…幅調整機構
３２…第２配置部材
３３…ガイド部材
３３ａ…固定部材
３３ｂ…固定部材調整機構
３４…第２設置部調整機構
３５…第２設置部
１００…寛骨
１０１…寛骨臼
１０２…上前腸骨棘
１０３…恥骨
１１０…大腿骨
【図１】
2020054814.tif 000003
【図２】
2020054814.tif 000004
【図３】
2020054814.tif 000005
【図４】
2020054814.tif 000006
【図５】
2020054814.tif 000007
【図６】
2020054814.tif 000008
【図７】
2020054814.tif 000009
【図８】
2020054814.tif 000010
【図９】
2020054814.tif 000011
【図１０】
2020054814.tif 000012